(57)【特許請求の範囲】
【請求項１】
公衆電話回線を介して送信される信号が呼出信号の特徴を備える信号である場合に、前記公衆電話回線を介して送信される信号を呼出信号として検出する呼出信号検出手段と、
前記公衆電話回線を介して送信される信号を検出して、検出した信号が発信元識別情報を示す信号であれば、前記発信元識別情報を取得する検出取得処理を実行する識別情報検出手段と、
前記識別情報検出手段の作動を制御する発信元識別情報検出制御手段と、
を有し、
前記発信元識別情報検出制御手段は、前記公衆電話回線を介して送信される信号を前記呼出信号検出手段が前記呼出信号として検出する都度、前記呼出信号検出手段による前記呼出信号の検出が１回目であるか２回目以降であるかに関わらず、前記識別情報検出手段が前記発信元識別情報を取得済みかを判断し、取得済みでないと判断する場合は、の前記呼出信号検出手段が呼出信号として検出した信号の後に前記公衆電話回線を介して送信される信号に対して、前記識別情報検出手段に前記検出取得処理を実行させ、実行開始から所定時間以内に前記識別情報検出手段が前記発信元識別情報を取得しない場合には前記識別情報検出手段が実行する前記検出取得処理を停止させる、ことを特徴とする、
ナンバーディスプレイサービスに対応した電話装置。
【発明の詳細な説明】
【技術分野】
【０００１】
本発明は、呼出信号の合間に発呼側電話番号等の発信元識別情報が送信されるサービス等に対応した電話装置に関するものであり、特に、ファクシミリ機能に加えて、プリンタ機能やスキャナ機能等が付加された多機能型のファクシミリ装置に適用して有効である。
【背景技術】
【０００２】
発信元識別情報等を表示する機能として、例えばナンバーディスプレイサービスに対応した電話装置では、交換機から送信された発呼側電話番号を示す情報（信号）を検出する検出シーケンスを作動させて、その検出した発呼側電話番号を電話装置に設けられた表示部に表示している（例えば、特許文献１参照）。
【特許文献１】特開２００１−１７７６６６号公報
【発明の開示】
【発明が解決しようとする課題】
【０００３】
ところで、発呼側電話番号等の発信元識別情報は、通常、最初の呼出信号の送信が終了した後に送信されるので、一般的な、発信元識別情報等を表示するとができる電話装置では、最初の呼出信号を検出（受信）した後、その最初の呼出信号の送信が終了したことを検出した時から所定時間が経過するまで、又は次の呼出信号が送信されるまでの１回のみ発信元識別情報を検出する検出シーケンス（以下、識別情報検出シーケンスという。）が実行される。
【０００４】
そして、通常の電話装置では、５００ミリ秒以上連続する１６Ｈｚの矩形波信号を呼出信号と見なすように設定されているので、発信元識別情報等を表示するとができる通常の電話装置では、５００ミリ秒以上連続する１６Ｈｚの矩形波信号を最初に検出した後、その検出した信号の送信が終了したことを検出した時から識別情報検出シーケンスが実行される。
【０００５】
しかし、交換機の種類によっては、呼出信号として最初に送信する信号以前に、５００ミリ秒以上続く周波数が１６Ｈｚの信号が送信される場合がある。そして、このような場合には、電話装置は、交換機から最初に送信されてきた信号を最初の呼出信号として検出してしまうので、交換機が最初の呼出信号を送信する以前に識別情報検出シーケンスが作動してしまい、当然、交換機からは発信元識別情報は送信されてこないため発信元識別情報を検出することができない。
【０００６】
また、識別情報検出シーケンスは、最初の呼出信号の送信が終了した後、１回のみ作動するので、最初の呼出信号の送信が終了した後、発信元識別情報が送信されているときに識別情報検出シーケンスが作動しないこととなり、発信元識別情報を検出することができない。
【０００７】
本発明は、上記点に鑑み、交換機の種類によらず、発信元識別情報を確実に検出することを目的とする。
【課題を解決するための手段】
【０００８】
本発明は、上記目的を達成するために、請求項１に記載の発明では、公衆電話回線を介して送信される信号が呼出信号の特徴を備える信号である場合に、前記公衆電話回線を介して送信される信号を呼出信号として検出する呼出信号検出手段と、前記公衆電話回線を介して送信される信号を検出して、検出した信号が発信元識別情報を示す信号であれば、前記発信元識別情報を取得する検出取得処理を実行する識別情報検出手段と、前記識別情報検出手段の作動を制御する発信元識別情報検出制御手段と、を有し、前記発信元識別情報検出制御手段は、前記公衆電話回線を介して送信される信号を前記呼出信号検出手段が前記呼出信号として検出する都度、前記呼出信号検出手段による前記呼出信号の検出が１回目であるか２回目以降であるかに関わらず、前記識別情報検出手段が前記発信元識別情報を取得済みかを判断し、取得済みでないと判断する場合は、の前記呼出信号検出手段が呼出信号として検出した信号の後に前記公衆電話回線を介して送信される信号に対して、前記識別情報検出手段に前記検出取得処理を実行させ、実行開始から所定時間以内に前記識別情報検出手段が前記発信元識別情報を取得しない場合には前記識別情報検出手段が実行する前記検出取得処理を停止させる、ことを特徴とする、ナンバーディスプレイサービスに対応した電話装置であることを特徴とする。
【０００９】
これにより、本発明では、交換機から最初に送信されてきた信号を呼出信号として検出してしまった場合、すなわち、この後には当然発信元識別情報が送信されず、２回目以降の呼出信号として検出した信号の後に発信元識別情報が送信された場合であっても、送信される前記発信元識別情報に対して、識別情報検出手段が作動するので、２回目以降の呼出信号として検出した信号の後に発信元識別情報が送信された場合であっても、発信元識別情報を検出することができる。
【００１０】
また、仮に、交換機から送信される最初の呼出信号の継続時間が例えば５００ミリ秒未満である、又は交換機から送信される最初の呼出信号の周波数が１６Ｈｚと異なっているために電話装置側にて最初の呼出信号を検出することができない場合であっても、２回目以降の呼出信号に続けて発信元識別情報が送信されていれば発信元識別情報を検出することができるので、最初の呼出信号を検出することができない場合であっても、発信元識別情報を検出することができる。
【００１１】
したがって、本発明によれば、交換機の種類によらず、発信元識別情報を確実に検出することができる。
【００１２】
【００１３】
【００１４】
【００１５】
【００１６】
【００１７】
【００１８】
【００１９】
【００２０】
【００２１】
【００２２】
【発明を実施するための最良の形態】
【００２３】
以下に本発明の実施形態を図面と共に説明する。
（第１実施形態）
本実施形態は、本発明に係る電話装置を、プリンタ機能やスキャナ機能等が付加された多機能型のファクシミリ装置に適用したものであるり、図１は、本発明の実施形態に係るファクシミリ装置１の電気的構成を示したブロック図であり、図２は回線Ｉ／Ｆ部１９のブロック図である。
【００２４】
１．ファクシミリ装置１の概要
ファクシミリ装置１には、図１に示すように、ＣＰＵ１１、ＲＯＭ１２、ＥＥＰＲＯＭ１３、ＲＡＭ１４、画像メモリ１５、回線Ｉ／Ｆ部１９、モデム２０、バッファ２１、スキャナ２２、符号化部２３、及び復号化部２４等から構成されるファクシミリ回路、並びにプリンタ２５、操作パネル４、ＬＣＤ（液晶表示パネル）５、アンプ２７及び通話用のハンドセット４７が設けられており、これらがバスライン３０を介して互いに接続されている。
【００２５】
なお、ＬＣＤ５は、ＣＰＵ１１から指令信号に基づいて、様々な情報を文字又は画像を通じてユーザに向けて発するものであり、その情報としては、例えば、ファクシミリ回路に対して並列に公衆電話回線３２に接続された外付電話機３が使用中である旨、ＦＡＸデータを送受信中である旨、又は発信元の電話番号もしくはファクシミリ番号や発信元の名
前もしくは名称等の発信元の情報等が挙げられる。
【００２６】
回線Ｉ／Ｆ部１９は、回線制御を行うためのものであり、図２に示すように、半導体化ＤＡＡ３３を有して構成されており、この回線Ｉ／Ｆ部１９は、交換機２９から送られる呼出信号（リング信号）や相手側装置の電話番号等の発信元識別情報（以下、発信元識別情報をＣａｌｌｅｒＩＤという。）を示す信号等の各種信号を受信するとともに、操作パネル４上のキーの操作に応じた発信時のダイヤル信号を交換機２９へ送信する。
【００２７】
また、回線Ｉ／Ｆ部１９には、外付電話機３をファクシミリ回路に対して並列に公衆電話回線３２に接続するための外付電話端子Ｔ１、Ｔ２が設けられており、ファクシミリ装置１（ファクシミリ回路）及び外付電話機３は、この回線Ｉ／Ｆ部１９を介して電話回線３１に接続される。
【００２８】
なお、ＣＰＵ１１は、回線Ｉ／Ｆ部１９を介して送受信される各種信号に従って、バスライン３０により接続された各部を制御し、ファクシミリ動作、すなわち、画像データ等の送受信（データ通信）等を実行するコンピュータを構成するものである。ＲＯＭ１２は、このファクシミリ装置１で実行される制御プログラム等を格納した書換不能記憶装置であり、このＲＯＭ１２には、図３〜図１１に示されるフローチャートを実行するプログラムが格納されている。
【００２９】
ＲＡＭ１４は、ファクシミリ装置１の各動作の実行時に各種のデータや着信履歴等を記憶するための随時読込書換可能記憶装置であり、このＲＡＭ１４は、回線電圧値メモリ１４ａ及び判定値メモリ１４ｂ等から構成されている。
【００３０】
回線電圧値メモリ１４ａは、電話回線３１の開放時、すなわち半導体化ＤＡＡ３３において、回線網を制御するための直流回路が開放された状態である時に半導体化ＤＡＡ３３に供給される電圧値を記憶するメモリであり、この回線電圧値メモリ１４ａは、電話回線３１の開放時において、電圧検出回路３４（図２参照）により検出された電圧値を、その検出順に記憶する。因みに、電圧検出回路３４は、公衆電話回線３２の回線電圧を検出する電圧検出手段を構成するものである。
【００３１】
なお、本実施形態に係る回線電圧メモリは、複数個（例えば、１０個）の電圧値を記憶することができ、この回線電圧値メモリ１４ａに記憶された複数個の電圧値は、その記憶された複数個の電圧値の平均値が算出された後、回線電圧値メモリ１４ａから消去される。そして、その算出された電圧値の平均値が定常時の待機電圧値Ｖｒとして、後述する定常電圧値メモリ１３ａに記憶される。
【００３２】
また、判定値メモリ１４ｂは、外付電話機３がフックアップ状態であるか又はフックダウン状態であるかを判定するための判断基準値となる判定電圧Ｖｔを記憶するメモリである。この判定電圧Ｖｔは、電話回線３１が開放状態である場合における回線電圧の基準電圧よりも小さく、かつ、基準電圧との電圧差が所定の電圧差ΔＶ以上となる電圧値である。なお、本実施形態では、基準電圧として、前記の待機電圧値Ｖｒを採用している。
【００３３】
因みに、外付電話機３がフックアップ状態であるとは、外付電話機３が公衆電話回線３２を閉結している状態（オンフック状態）をいい、外付電話機３がフックダウン状態であるとは、外付電話機３が公衆電話回線３２を開放している状態（オフフック状態）をいう。
【００３４】
また、図１中、ＥＥＰＲＯＭ１３は、定常電圧値メモリ１３ａ及び閾値メモリ１３ｂ等を有して構成されたもので、ファクシミリ装置１の電源が遮断された後も書き込まれた（
記憶された）データを保持することができる書換可能な不揮発性記憶装置である。
【００３５】
定常電圧値メモリ１３ａは、上記回線電圧値メモリ１４ａに記憶された１０個分の電圧値の平均値である待機電圧値Ｖｒを記憶するためのメモリであり、この定常電圧値メモリ１３ａは、回線電圧値メモリ１４ａに１０個の電圧値が記憶されると、その１０個の電圧値から算出される平均値により更新されるので、電話回線３１が開放状態である間は定期的に更新される。
【００３６】
閾値メモリ１３ｂは、外付電話機３のフックアップを判定するため判定電圧Ｖｔを算出するための係数Ｃｔ（例えば、０．５）を記憶する記憶装置である。つまり、本実施形態において判定電圧Ｖｔは、定常電圧値メモリ１３ａに記憶された待機電圧値Ｖｒに、閾値メモリ１３ｂに記憶された係数Ｃｔを乗算した値として算出された後、判定値メモリ１４ｂに記憶される。因みに、本実施形態では、閾値メモリ１３ｂに記憶される係数Ｃｔは、ユーザやサービスマンが操作パネル４を操作することにより、変更することができる。
【００３７】
画像メモリ１５は、画像データ及び印刷のためのビットイメージを記憶するための記憶装置であり、安価な大容量メモリであるダイナミックＲＡＭ（ＤＲＡＭ）により構成されている。そして、受信された画像データは、一旦画像メモリ１５に記憶され、プリンタ２５によって記録紙に印刷された後に、この画像メモリ１５から消去される。また、スキャナ２２によって読み取られた画像データも、この画像メモリ１５に記憶される。
【００３８】
モデム２０は、画情報及び通信データを変調及び復調して伝送するとともに、伝送制御用の各種手順信号を送受信するためのものである。バッファ２１は、相手側装置との間で送受信される符号化された画情報を含むデータを一時的に記憶するためのものである。
【００３９】
スキャナ２２は、原稿挿入口に挿入された原稿を画像データとして読み取るためのものであり、原稿搬送用モータを備えている。符号化部２３は、スキャナ２２により読み取られた画像データの符号化を行うものである。
【００４０】
復号化部２４は、バッファ２１又は画像メモリ１５に記憶された画像データを読み出して、これを復号化するものであり、復号化されたデータは、プリンタ２５により記録紙に印刷される。アンプ２７は、そのアンプ２７に接続されたスピーカ２８を鳴動して、呼出音や音声を出力するためのものである。
【００４１】
因みに、本実施形態に係るプリンタ２５は、記録紙を搬送する記録紙用搬送モータ、印字ヘッドを搭載したキャリッジを移動させるキャリッジモータ、及び記録紙へインクを吐出する印字ヘッド等を備えた、周知のインクジェット方式のプリンタで構成されている。
【００４２】
また、ハンドセット４７は、送信された音声信号を再生するスピーカと通話者が発する音声をピックアップするマイクロフォン等とが一体化された通話用の送受話器であり、このハンドセット４７又はファクシミリ装置本体には、図２に示すように、ハンドセット４７が上げられたか否かを検出するフック状態検出手段をなすフックスイッチ４８が設けられている。そして、ハンドセット４７が上げられた場合、つまりハンドセット４７がフックアップされた場合には、フックスイッチ４８からＣＰＵ１１にオン信号が入力される。
【００４３】
なお、「ハンドセット４７が上げられた」とは、ユーザがハンドセット４７による通話をしようとしたことを意味するものであるので、ハンドセット４７がファクシミリ装置本体から実際に上げられた場合は勿論のこと、携帯電話のように通話開始用のスイッチが操作された場合等も含まれるものである。
【００４４】
このように構成されたファクシミリ装置１は、回線Ｉ／Ｆ１９を介して、電話回線３１に接続されている。この電話回線３１は、本ファクシミリ装置１の交換機２９に接続され、この交換機２９は公衆電話回線３２に接続される。
【００４５】
半導体化ＤＡＡ３３は、図２に示すように、主に回線終端、ハイブリット、リング信号の検出等の機能を持っている。そして、半導体化ＤＡＡ３３とモデム２０との間には、半導体化ＤＡＡ３３とモデム２０とを直流的に絶縁し、かつ、データ及び信号等を伝達する絶縁部である絶縁部３５が介在している。
【００４６】
また、回線Ｉ／Ｆ部１９のうち、半導体化ＤＡＡ３３の以外の構成部品としては、ＴＥＬ（音声通信）とＦＡＸ（画像通信）とを切り換えるためＣｏｎｎｅｃｔ  ＭＯＤＥＭ  ｔｏ  Ｌｉｎｅリレー３６（以下、ＣＭＬリレー３６と記す。）、整流器３７、及び直流ループカット用コンデンサ３８ａ、３８ｂ、３８ｃ、３８ｄ等が設けられている。なお、Ｌ１、Ｌ２は電話回線３１側への端子であり、Ｔ１、Ｔ２は外付電話機３側への端子である。
【００４７】
因みに、ＦＡＸデータのＡ／Ｄ変換、Ｄ／Ａ変換を行うＣＯＤＥＣ４０が半導体化ＤＡＡ３３に設けられているので、絶縁部３５はディジタル伝達になる。このため、本実施形態では、絶縁部３５に高絶縁のコンデンサ３５ａ、３５ｂが用いられる。
【００４８】
ＣＭＬリレー３６は、待機時においては、図２に示すように、外付電話機３側に閉結されており、ＦＡＸ通信が始まると、混線を防止すべく、ＣＰＵ１１は、ＣＭＬリレー制御信号をオフにして外付電話機３を公衆電話回線３２から開放する。
【００４９】
整流器３７は、回線網の直流ループ電流の極性を一方向へ整流するものである。半導体化ＤＡＡ３３の電源は、トランス４６を通してモデム２０側から供給され、整流器３７により整流されて電話回線３１の電圧極性に関係なく一定極性の電圧になる。
【００５０】
電圧検出回路３４は整流器３７により整流されて半導体ＤＡＡ３３に供給される電圧を検出するものであり、図２に示すように、整流器３７とハイブリッドネットワーク４４とを結ぶ接続線とＣＯＤＥＣ４０とに接続されている。電圧検出回路３４による検出結果は、半導体化ＤＡＡ３３から、モデム２０を介して、ＣＰＵ１１へ出力される。
【００５１】
ハイブリットネットワーク４４は、回線網の開放及び閉結を行うためのものであり、電話回線３１からのＦＡＸデータを送信又は受信データに分離する２線−４線変換回路、送信データの受信経路への回り込みを抑制するキャンセラー回路、及びフィルタ回路等から構成されている。このハイブリッドネットワーク４４には、回線網、ＣＯＤＥＣ４０、シリアルＩ／Ｆ４１及びグランドが接続されている。なお、ＣＯＤＥＣ４０との間には、送信アンプ４２が介在している。
【００５２】
ＣＯＤＥＣ４０は、ＦＡＸ受信データ及び送信データのＡ／Ｄ変換及びＤ／Ａ変換を行うためのものであり、このＣＯＤＥＣ４０には、回線網、外付電話機３、ハイブリッドネットワーク４４及びシリアルＩ／Ｆ４１が、送信アンプ４２又はトーンアンプ４３を介して、接続されている。
【００５３】
なお、送信アンプ４２は、送信データのゲイン調整を行うためのものである。また、トーンアンプ４３は差動型の増幅器であり、電話回線３１の端子Ｌ１、Ｌ２に対し、差動入力になっている。
【００５４】
そして、ＣＯＤＥＣ４０に電話回線３１又は外付電話機３からトーン信号が到来すると
、トーンアンプ４３→ＣＯＤＥＣ４０→シリアルＩ／Ｆ４１→絶縁部３５→モデム２０の順に流れ、ＣＯＤＥＣ４０から送信されるトーン検出信号がＣＰＵ１１により検出される。
【００５５】
リング検出回路３９は、回線網、外付電話機３及びシリアルＩ／Ｆ４１に接続されている。そして、リング検出回路３９に電話回線３１から呼出信号（リング信号）が到来すると、それと同じサイクルで、リング検出信号がリング検出回路３９→シリアルＩ／Ｆ４１→絶縁部３５のコンデンサａを通り、リング検出信号がＬ（ローレベル）からＨ（ハイレベル）へ（又はその逆へ）変化することにより、モデム２０を介して、ＣＰＵ１１により検出される。
【００５６】
トランジスタ４５は、電圧検出回路３４により検出される回線閉結時の回線電圧が予め定められた電圧電流特性となるように、ベース電位を変えることにより、半導体化ＤＡＡ３３の見かけ上の抵抗値を調整するためのものである。
【００５７】
シリアルＩ／Ｆ４１は、リング検出回路３９からのリング検出信号等の各信号、及びＣＯＤＥＣ４０からのＦＡＸ受信データを、絶縁部３５のコンデンサ３５ｂに対しシリアルデータに一本化しながら、電話回線３１の閉結、開放を半導体化ＤＡＡ３３に行わせるための制御信号及びＣＯＤＥＣ４０へのＦＡＸ送信データに対し、絶縁部３５のコンデンサ３５ａからのシリアル信号をそれぞれに分離するものである。
【００５８】
なお、ＣＯＤＥＣ４９は、ハンドセット４７による通話が行われる際に、ハンドセット４７とモデム２０との間でＡ／Ｄ変換及びＤ／Ａ変換を行うためのものである。
２．ＣａｌｌｅｒＩＤの検出制御
次に、本実施形態に係るファクシミリ装置１の特徴的制御作動である、ＣａｌｌｅｒＩＤの検出制御について説明する。なお、以下の制御フローはＣＰＵ１１により実行されるものである。
【００５９】
２．１ＣａｌｌｅｒＩＤ検出制御の概要
図３〜図６はＣａｌｌｅｒＩＤ検出制御の概要を示すフローチャートであり、ファクシミリ装置１に電源が投入されると、図３〜図６のフローチャートに示される制御フローが実行され、先ず、図３に示すように、公衆電話回線３２の回線電圧変動周期Ｔが検出される（Ｓ１）。
【００６０】
なお、ここで、回線電圧変動周期Ｔを検出するのは、呼出信号は、「事業用電気通信設備規則第３１条第２号」等に規定されているように、通常、所定時間以上連続する所定周波数を有する矩形波にて構成されることから、回線電圧変動周期Ｔを検出すれば、交換機２９から呼出信号が発せられたか否かを検出することができるからである。
【００６１】
次に、その検出された回線電圧変動周期Ｔの周波数が所定周波数（本実施形態では、１６Ｈｚ）以上であるか否かが判定され（Ｓ３）、検出された回線電圧変動周期Ｔが所定周波数未満であると判定された場合には（Ｓ３：ＮＯ）、Ｓ１に戻って再び回線電圧変動周期Ｔが検出される。
【００６２】
一方、Ｓ１にて検出された回線電圧変動周期Ｔが所定周波数以上であると判定された場合には（Ｓ３：ＹＥＳ）、検出された信号が呼出信号である可能性が高いので、内蔵されたタイマーにより時間（以下、この時間を呼出信号送信時間Ｔ１という。）の計測が開始されるとともに（Ｓ５）、再び、回線電圧変動周期Ｔが計測される（Ｓ７）。
【００６３】
次に、回線電圧変動周期Ｔの回線電圧変動が所定時間（本実施形態では、５００ミリ秒
）以上経過したか否かが判定される（Ｓ９〜Ｓ１３）。具体的には、回線電圧変動周期Ｔが所定周波数以上であるか否かが判定され（Ｓ９）、回線電圧変動周期Ｔが所定周波数以上であると判定された場合には、Ｓ５にて計測が開始された呼出信号送信時間Ｔ１が取得されるとともに（Ｓ１１）、その取得した呼出信号送信時間Ｔ１が所定時間を超えたか否かが判定される（Ｓ１３）。
【００６４】
そして、所定周波数の回線電圧変動周期Ｔが所定時間を経過した場合（Ｓ１３：ＹＥＳ）、つまり呼出信号と見なすことができる信号を受信した場合には、現在検出した呼出信号が終了したか否かが判定される（Ｓ１５、Ｓ１７）。具体的には、所定周波数の回線電圧変動周期Ｔが所定時間を経過したときに（Ｓ１３：ＹＥＳ）、回線電圧変動周期Ｔが再び検出されるとともに（Ｓ１５）、その検出された回線電圧変動周期Ｔが所定周波数以上であるか否かが判定される（Ｓ１７）。
【００６５】
そして、Ｓ１５にて検出された回線電圧変動周期Ｔが所定周波数以上であると判定された場合には（Ｓ１７：ＹＥＳ）、呼出信号が未だ終了していないものと見なすことができるので、Ｓ１５に戻り再び回線電圧変動周期Ｔが検出される。
【００６６】
一方、Ｓ１５にて検出された回線電圧変動周期Ｔが所定周波数未満であると判定された場合には（Ｓ１７：ＮＯ）、呼出信号が終了したものと見なすことができるので、次の制御ステップ、つまりＲＡＭ１４に記憶されている呼出信号回数に１を加算するとともに（Ｓ１９）、ＲＡＭ１４に記憶されている呼出信号回数が規定回数（本実施形態では、４回）以上となったか否かが判定される（Ｓ２１）。
【００６７】
そして、ＲＡＭ１４に記憶されている呼出信号回数が規定回数未満であると判定された場合には（Ｓ２１：ＮＯ）、フックスイッチ４８の検出信号に基づいてハンドセット４７がフックアップされているか否かが判定され（Ｓ２３）、ハンドセット４７がフックアップされていないと判定された場合には（Ｓ２３：ＮＯ）、公衆電話回線３２の回線電圧が検出される（Ｓ２５）。
【００６８】
次に、検出された回線電圧（以下、この回線電圧を検出回線電圧Ｖｃという。）が前記判定電圧Ｖｔより低いか否かが判定され（Ｓ２７）、検出回線電圧Ｖｃが判定電圧Ｖｔ以上であると判定された場合には（Ｓ２７：ＮＯ）、つまり外付電話機３がフックダウン状態と見なすことができる場合には、ＣａｌｌｅｒＩＤが既に取得されているか否かが判定される（Ｓ２９）。なお、ＣａｌｌｅｒＩＤが既に取得されているか否かの判定は、本実施形態では、ＣａｌｌｅｒＩＤが既にＲＡＭ１４に記憶されているか否かに基づいて判定される。
【００６９】
そして、ＣａｌｌｅｒＩＤが既に取得されていると判定された場合には（Ｓ２９：ＹＥＳ）、Ｓ１に戻り、一方、ＣａｌｌｅｒＩＤが未だ取得されていないと判定された場合には（Ｓ２９：ＮＯ）、ＣａｌｌｅｒＩＤの取得、及びファクシミリデータの受信又は通話のための処理が実行される（Ｓ３１）。なお、ＣａｌｌｅｒＩＤの取得、及びファクシミリデータの受信又は通話のための処理の詳細は後述する。
【００７０】
また、Ｓ２１にて呼出信号回数が規定回数以上であると判定された場合には（Ｓ２１：ＹＥＳ）、図４に示すように、送信されてきた信号がファクシミリデータを示す音声データ信号（以下、この信号をＣＮＧ信号という。）であるか否かが判定される（Ｓ３３）。
【００７１】
このとき、送信されてきた信号がＣＮＧ信号であると判定された場合には（Ｓ３３：ＹＥＳ）、モデム２０の設定がファクシミリデータ受信モード（Ｖ．２１）に設定された後（Ｓ３５）、公衆電話回線３２が閉結されてファクシミリデータの受信が開始される（Ｓ
３７、Ｓ３９）。
【００７２】
そして、ファクシミリデータの受信が終了すると、公衆電話回線３２が開放され（Ｓ４１）、かつ、ＲＡＭ１４に記憶されているＣａｌｌｅｒＩＤ及び呼出信号回数が削除された後（Ｓ４３）、Ｓ１に戻る。なお、ＲＡＭ１４にＣａｌｌｅｒＩＤが記憶されていないときは、呼出信号回数のみが削除される。
【００７３】
また、Ｓ３３にて、送信されてきた信号がＣＮＧ信号でないと判定された場合には（Ｓ３３：ＮＯ）、送信されてきた信号は通話信号であると見なすことができるので、外付電話機３及びハンドセット４７に呼出信号が送信され（Ｓ４５）、外付電話機３及びハンドセット４７は呼び出し音を発する。
【００７４】
次に、検出回線電圧Ｖｃが判定電圧Ｖｔより低いか否かが判定され（Ｓ４７）、検出回線電圧Ｖｃが判定電圧Ｖｔより低い場合には（Ｓ４７：ＹＥＳ）、「ソトヅケデンワシヨウチュウ」といった旨の表示がＬＣＤ５に表示された後（Ｓ４９）、外付電話機３による通話が終了したか否かが判定される（Ｓ５１、Ｓ５３）。具体的には、公衆電話回線３２の回線電圧が検出され（Ｓ５１）、その検出した検出回線電圧Ｖｃが判定電圧Ｖｔより高いか否かが判定される（Ｓ５３）。
【００７５】
そして、検出回線電圧Ｖｃが判定電圧Ｖｔより高いと判定された場合には（Ｓ５３：ＹＥＳ）、外付電話機３による通話が終了したものと見なされて「ソトヅケデンワシヨウチュウ」といった旨の表示が解除されるとともに（Ｓ５５）、ＲＡＭ１４に記憶されているＣａｌｌｅｒＩＤ及び呼出信号回数が削除された後（Ｓ４３）、Ｓ１に戻る。
【００７６】
また、Ｓ４７にて検出回線電圧Ｖｃが判定電圧Ｖｔ以上であると判定された場合には（Ｓ４７：ＮＯ）、フックスイッチ４８の検出信号に基づいてハンドセット４７がフックアップされているか否かが判定される（Ｓ５７）。
【００７７】
ここで、ハンドセット４７がフックアップされていると判定された場合には（Ｓ５７：ＹＥＳ）、モデム２０が通話モードに設定された後（Ｓ５９）、公衆電話回線３２が閉結されてハンドセット４７による通話が可能となる（Ｓ６１、Ｓ６３）。
【００７８】
そして、ハンドセット４７による通話が終了したか否か、つまりハンドセット４７がフックダウンされたか否かが判定され（Ｓ６５）、ハンドセット４７による通話が終了したものと判定された場合には（Ｓ６５：ＹＥＳ）、公衆電話回線３２が開放され（Ｓ６７）、かつ、ＲＡＭ１４に記憶されているＣａｌｌｅｒＩＤ及び呼出信号回数が削除された後（Ｓ４３）、Ｓ１に戻る。
【００７９】
また、Ｓ２３（図３参照）にてハンドセット４７がフックアップされていると判定された場合には（Ｓ２３：ＹＥＳ）、図５に示すように、モデム２０が通話モードに設定された後（Ｓ６９）、公衆電話回線３２が閉結されてハンドセット４７による通話が可能となる（Ｓ７１、Ｓ７３）。
【００８０】
そして、ハンドセット４７による通話が終了したか否か、つまりハンドセット４７がフックダウンされたか否かが判定され（Ｓ７５）、ハンドセット４７による通話が終了したものと判定された場合には（Ｓ７５：ＹＥＳ）、公衆電話回線３２が開放され（Ｓ７７）、かつ、ＲＡＭ１４に記憶されているＣａｌｌｅｒＩＤ及び呼出信号回数が削除された後（Ｓ７９）、Ｓ１に戻る。なお、ＲＡＭ１４にＣａｌｌｅｒＩＤが記憶されていないときは、呼出信号回数のみが削除される。
【００８１】
また、Ｓ２７（図３参照）にて検出回線電圧Ｖｃが判定電圧Ｖｔ以上より低いと判定された場合には（Ｓ２７：ＹＥＳ）、図６に示すように、「ソトヅケデンワシヨウチュウ」といった旨の表示がＬＣＤ５に表示される（Ｓ８１）。
【００８２】
そして、外付電話機３による通話が終了したか否かが判定される（Ｓ８３、Ｓ８５）。すなわち、公衆電話回線３２の回線電圧が検出されるとともに（Ｓ８３）、その検出した検出回線電圧Ｖｃが判定電圧Ｖｔより高いか否かが判定される（Ｓ８５）。
【００８３】
このとき、検出回線電圧Ｖｃが判定電圧Ｖｔより高いと判定された場合には（Ｓ８５：ＹＥＳ）、外付電話機３による通話が終了したものと見なされて「ソトヅケデンワシヨウチュウ」といった旨の表示が解除されるとともに（Ｓ８７）、ＲＡＭ１４に記憶されているＣａｌｌｅｒＩＤ及び呼出信号回数が削除された後（Ｓ８９）、Ｓ１に戻る。なお、ＲＡＭ１４にＣａｌｌｅｒＩＤが記憶されていないときは、呼出信号回数のみが削除される。
【００８４】
２．２ＣａｌｌｅｒＩＤの取得等のための処理
図７〜図１１はＣａｌｌｅｒＩＤの取得、及びファクシミリデータの受信又は通話のための処理（図３のＳ３１の詳細）を示すフローチャートであり、この制御フローが起動されると、先ず、モデム２０がＣａｌｌｅｒＩＤ受信モード（Ｖ．２３）に設定されるとともに（Ｓ１０１）、内蔵されたタイマーにより時間（以下、この時間をＩＤ受信時間Ｔ２という。）の計測が開始される（Ｓ１０３）。
【００８５】
次に、公衆電話回線３２を介して送信される信号が検出されるとともに（Ｓ１０５）、その検出された信号が、ＣａｌｌｅｒＩＤを示す信号であるか否かが判定され（Ｓ１０７）、その検出された信号がＣａｌｌｅｒＩＤを示す信号でないと判定された場合には（Ｓ１０７：ＮＯ）、その検出された信号がＣＮＧ信号であるか否かが判定される（Ｓ１０９）。
【００８６】
そして、その検出された信号がＣＮＧ信号でないと判定された場合には（Ｓ１０９：ＮＯ）、公衆電話回線３２の回線電圧が検出されるとともに（Ｓ１１１）、その検出回線電圧Ｖｃが判定電圧Ｖｔより低いか否かが判定される（Ｓ１１３）。
【００８７】
このとき、検出回線電圧Ｖｃが判定電圧Ｖｔ以上であると判定された場合には（Ｓ１１３：ＮＯ）、ハンドセット４７がフックアップされているか否かが判定され（Ｓ１１５）、ハンドセット４７がフックアップされていないと判定された場合には（Ｓ１１５：ＮＯ）、ＩＤ受信時間Ｔ２が計測されるとともに（Ｓ１１７）、その計測されたＩＤ受信時間Ｔ２が所定時間（本実施形態では、６秒）経過したか否かが判定される（Ｓ１１９）。
【００８８】
そして、計測されたＩＤ受信時間Ｔ２が所定時間未満であると判定された場合には（Ｓ１１９：ＮＯ）、Ｓ１０５に戻り、再びＣａｌｌｅｒＩＤの検出フローが実施される。一方、計測されたＩＤ受信時間Ｔ２が所定時間を経過したものと判定された場合には（Ｓ１２１）、ＣａｌｌｅｒＩＤ受信モードが解除されて（Ｓ１２１）、本制御フローが終了する。
【００８９】
また、Ｓ１０７にて検出された信号がＣａｌｌｅｒＩＤを示す信号であると判定された場合には（Ｓ１０７：ＹＥＳ）、図８に示すように、ＣａｌｌｅｒＩＤが受信され（Ｓ１２３）、その受信したＣａｌｌｅｒＩＤがＲＡＭ１４に記憶されるとともに（Ｓ１２５）、着信履歴としてＲＡＭ１４に記憶される（Ｓ１２７）。
【００９０】
次に、ＣａｌｌｅｒＩＤ受信モードが解除されるとともに（Ｓ１２９）、Ｃａｌｌｅｒ
ＩＤ、つまり発信元電話番号又は発信元ファクシミリ番号、及びその番号に対応する発信元の名前又は名称がＬＣＤ５に表示された後（Ｓ１３１）、本制御フローが終了する。
【００９１】
因みに、本実施形態では、番号と名前等との関係を示すテーブルが予めＥＥＰＲＯＭ１３に記憶されており、このテーブルと受信したＣａｌｌｅｒＩＤ（発信元電話番号又は発信元ファクシミリ番号）とから発信元の名前又は名称を特定している。
【００９２】
また、Ｓ１０９（図７参照）にて検出された信号がＣＮＧ信号であると判定された場合には（Ｓ１０９：ＹＥＳ）、図９に示すように、モデム２０の設定がＣａｌｌｅｒＩＤ受信モードからファクシミリデータ受信モードに設定変更された後（Ｓ１３３、Ｓ１３５）、公衆電話回線３２が閉結されてファクシミリデータの受信が開始される（Ｓ１３７、Ｓ１３９）。
【００９３】
そして、ファクシミリデータの受信が終了すると、公衆電話回線３２が開放された後（Ｓ１４１）、本制御フローが終了する。
また、Ｓ１１３（図７参照）にて検出回線電圧Ｖｃが判定電圧Ｖｔより低いと判定された場合には（Ｓ１１３：ＹＥＳ）、図１０に示すように、ＣａｌｌｅｒＩＤ受信モードが解除されるとともに（Ｓ１４３）、「ソトヅケデンワシヨウチュウ」といった旨の表示がＬＣＤ５に表示される（Ｓ１４５）。
【００９４】
そして、外付電話機３による通話が終了したか否かの判定、つまり公衆電話回線３２の回線電圧が検出され（Ｓ１４７）、その検出した検出回線電圧Ｖｃが判定電圧Ｖｔより高いか否かが判定される（Ｓ１４９）。
【００９５】
このとき、検出回線電圧Ｖｃが判定電圧Ｖｔより高いと判定された場合には（Ｓ１４９：ＹＥＳ）、外付電話機３による通話が終了したものと見なされて「ソトヅケデンワシヨウチュウ」といった旨の表示が解除された後（Ｓ１５１）、本制御フローが終了する。
【００９６】
また、Ｓ１１５（図７参照）にてハンドセット４７がフックアップされたものと判定された場合には（Ｓ１１５：ＹＥＳ）、図１１に示すように、モデム２０の設定がＣａｌｌｅｒＩＤ受信モードからが通話モードに設定変更された後（Ｓ１５３、Ｓ１５５）、公衆電話回線３２が閉結されてハンドセット４７による通話が開始される（Ｓ１５７、Ｓ１５９）。
【００９７】
そして、ハンドセット４７による通話が終了したか否か、つまりハンドセット４７がフックダウンされたか否かが判定され（Ｓ１６１）、ハンドセット４７による通話が終了したものと判定された場合には（Ｓ１６１：ＹＥＳ）、公衆電話回線３２が開放された後（Ｓ６３）、本制御フローが終了する。
【００９８】
なお、図３〜図１１に示すフローチャートから明らかなように、本実施形態に係るファクシミリ装置では、ＣａｌｌｅｒＩＤを検出する前に、ファクシミリデータの受信を行った場合、又は外付電話機３もしくはハンドセット４７にて通話を行った場合であっても、こらの行為が終了した後に、ＣａｌｌｅｒＩＤの検出が再び行われる。
【００９９】
３．本実施形態に係るファクシミリ装置１の特徴
本実施形態に係るファクシミリ装置１では、呼出信号が検出された場合であって、かつ、ファクシミリデータの受信、又は外付電話機３もしくはハンドセット４７にて通話が行われなかった場合には、最初の呼出信号が終了した後は勿論のこと、２回目以降の呼出信号が終了した後であってもＣａｌｌｅｒＩＤの検出が行われる。
【０１００】
したがって、仮に、交換機から最初の呼出信号として送信されてきた信号の後にＣａｌｌｅｒＩＤが送信されず、２回目以降の呼出信号の後にＣａｌｌｅｒＩＤが送信された場合であっても、ＣａｌｌｅｒＩＤの検出が行われるので、２回目以降の呼出信号の後にＣａｌｌｅｒＩＤが送信された場合であっても、ＣａｌｌｅｒＩＤを検出することができる。
【０１０１】
また、仮に、交換機から送信される最初の呼出信号の継続時間が例えば５００ミリ秒未満である、又は交換機から送信される最初の呼出信号の周波数が１６Ｈｚ未満となっているためにファクシミリ装置１にて最初の呼出信号を検出することができない場合であっても、２回目以降の呼出信号に続けてＣａｌｌｅｒＩＤ信号が送信されていれば、ＣａｌｌｅｒＩＤを検出することができるので、最初の呼出信号を検出することができない場合であっても、ＣａｌｌｅｒＩＤを検出することができる。
【０１０２】
したがって、本実施形態によれば、交換機の種類によらず、発信元識別情報を確実に検出することができる。
また、本実施形態に係るファクシミリ装置１では、ＣａｌｌｅｒＩＤが既に検出されている場合には、再度、ＣａｌｌｅｒＩＤの検出を行わないので、不必要な制御ステップが実行されることがなく、ＣＰＵ１１の負荷が不必要に増大してしまうことを未然に防止できる。
【０１０３】
ところで、モデム２０がＣａｌｌｅｒＩＤ受信モードとなっている場合には、ファクシミリデータを受信することができないが、本実施形態に係るファクシミリ装置１では、ＣＮＧ信号を検出した場合には、モデム２０をファクシミリモードとしてファクシミリデータの受信を優先させるので、ファクシミリデータを確実に受信することができる。
【０１０４】
また、本実施形態では、ＣａｌｌｅｒＩＤを検出している際に、公衆電話回線３２の回線電圧（検出回線電圧Ｖｃ）が判定電圧Ｖｔより低くなった場合には、ＣａｌｌｅｒＩＤ受信モードを解除するので、ＣａｌｌｅｒＩＤを検出している場合であっても、外付電話機３又はファクシミリ装置１に並列に公衆電話回線３２に接続された電話機によって通話をすることができる。
【０１０５】
また、ハンドセット４７はモデム２０を介して通話を行うので、モデム２０がＣａｌｌｅｒＩＤ受信モードとなっているとき、つまりＣａｌｌｅｒＩＤを検出しているときには、ハンドセット４７による通話ができない。このため、従来は、モデム２０がＣａｌｌｅｒＩＤ受信モードに移行して所定時間（本実施形態では、６秒）が経過するまでは、ハンドセット４７による通話ができなかった。
【０１０６】
これに対して、本実施形態では、ハンドセット４７がフックアップされたことが検出されると、ＣａｌｌｅｒＩＤ受信モードが解除されて通話モードに移行するので、モデム２０がＣａｌｌｅｒＩＤ受信モードに移行して所定時間が経過する前であっても、ハンドセット４７により通話を行うことができる。
【０１０７】
４．実施形態と特許請求の範囲に記載された発明特定事項との対応関係
本実施形態では、リング検出回路３９及びＳ１〜１３により呼出信号検出手段が構成され、電圧検出回路３４及びＳ１２３により識別情報検出手段が構成され、ＣＰＵ１１により発信元識別情報検出制御手段が構成され、Ｓ２３によりファクシミリ信号検手段が構成され、電圧検出回路３４により電圧検出手段が構成され、Ｓ５３により公衆回線監視手段が構成され、フックスイッチ４８によりフック状態検出手段が構成され、ＬＣＤ５により発信元情報表示手段が構成され、Ｓ１２７により着信履歴記憶手段が構成されている。
【０１０８】
【０１０９】
【０１１０】
また、本実施形態をプログラム（ソフトウェア）にて実現する場合には、公衆電話回線を介して送信される呼出信号を検出する呼出信号検出手段をなすリング検出回路３９、及び公衆電話回線を介して送信される発信元識別情報を検出する識別情報検出手段をなすモデム２０を、コンピュータをなすＣＰＵ１１にて制御することとなる。
【０１１１】
そして、このような場合においては、Ｓ１〜１３が呼出信号判定手段に相当し、Ｓ２１〜Ｓ２７が条件判定手段に相当し、Ｓ３１が発信元識別情報検出制御手段に相当することとなる。
【０１１２】
（第２実施形態）
本実施形態は、第１実施形態に係るファクシミリ装置１において、検出回線電圧Ｖｃが判定電圧Ｖｔより低いと判定された場合（Ｓ４７）、つまり外付電話機３により公衆電話回線３２が閉結されたと判定された場合に、モデム２０の設定をファクシミリデータ受信モードに設定するものである。
【０１１３】
以下、本実施形態に係るファクシミリ装置１の特徴的制御作動について説明する。なお、本実施形態は、第１実施形態に係るフローチャート（図３〜図１１）のうち図４に示すフローチャートのみが相違し、他は第１実施形態と同じであるので、第１実施形態との相違点のみ説明する。
【０１１４】
図１２は、本実施形態における図４に相当するフローチャートであり、Ｓ２１（図３参照）にて呼出信号回数が規定回数以上であると判定された場合には（Ｓ２１：ＹＥＳ）、送信されてきた信号がＣＮＧ信号であるか否かが判定される（Ｓ２０１）。
【０１１５】
このとき、送信されてきた信号がＣＮＧ信号であると判定された場合には（Ｓ２０１：ＹＥＳ）、モデム２０の設定がファクシミリデータ受信モード（Ｖ．２１）に設定された後（Ｓ２０３）、公衆電話回線３２が閉結されてファクシミリデータの受信が開始される（Ｓ２０５、Ｓ２０７）。
【０１１６】
そして、ファクシミリデータの受信が終了すると、公衆電話回線３２が開放され（Ｓ２０９）、かつ、ＲＡＭ１４に記憶されているＣａｌｌｅｒＩＤ及び呼出信号回数が削除された後（Ｓ２１１）、Ｓ２１に戻る。なお、ＲＡＭ１４にＣａｌｌｅｒＩＤが記憶されていないときは、呼出信号回数のみが削除される。
【０１１７】
また、Ｓ２０１にて、送信されてきた信号がＣＮＧ信号でないと判定された場合には（Ｓ２０１：ＮＯ）、送信されてきた信号は通話信号であると見なすことができるので、外付電話機３及びハンドセット４７に呼出信号が送信され（Ｓ２１３）、外付電話機３及びハンドセット４７は呼び出し音を発する。
【０１１８】
次に、検出回線電圧Ｖｃが判定電圧Ｖｔより低いか否かが判定され（Ｓ２１５）、検出回線電圧Ｖｃが判定電圧Ｖｔより低い場合には（Ｓ２１５：ＹＥＳ）、「ソトヅケデンワシヨウチュウ」といった旨の表示がＬＣＤ５に表示された後（Ｓ２１７）、モデム２０の設定がファクシミリデータ受信モードに設定される（Ｓ２１９）。
【０１１９】
そして、ＣＮＧ信号、つまりファクシミリ信号の監視が開始され（Ｓ２２１）、ＣＮＧ信号が検出された場合には（Ｓ２２１：ＹＥＳ）、公衆電話回線３２が閉結されてファク
シミリデータの受信が開始される（Ｓ２２３、Ｓ２２５）。なお、このとき、ファクシミリデータの受信と外付電話機３による通話が同時に行われるので、外付電話機３を用いて通をしている者に対して、ファクシミリデータの受信をしている旨を通知するようにしてもよい。
【０１２０】
そして、ファクシミリデータの受信が終了すると、公衆電話回線３２が開放され（Ｓ２０９）、かつ、ＲＡＭ１４に記憶されているＣａｌｌｅｒＩＤ及び呼出信号回数が削除された後（Ｓ２２７）、Ｓ２１に戻る。
【０１２１】
一方、Ｓ２２１にてＣＮＧ信号が検出されなかった場合には（Ｓ２２１：ＮＯ）、外付電話機３による通話が終了したか否かが判定される（Ｓ２２９、Ｓ２３１）。具体的には、公衆電話回線３２の回線電圧が検出され（Ｓ２２９）、その検出した検出回線電圧Ｖｃが判定電圧Ｖｔより高いか否かが判定される（Ｓ２３１）。
【０１２２】
そして、検出回線電圧Ｖｃが判定電圧Ｖｔより高いと判定された場合には（Ｓ２３１：ＹＥＳ）、外付電話機３による通話が終了したものと見なされて「ソトヅケデンワシヨウチュウ」といった旨の表示が解除されるとともに（Ｓ２３３）、ＲＡＭ１４に記憶されているＣａｌｌｅｒＩＤ及び呼出信号回数が削除された後（Ｓ２２１）、Ｓ２１に戻る。
【０１２３】
また、Ｓ２１５にて検出回線電圧Ｖｃが判定電圧Ｖｔ以上であると判定された場合には（Ｓ２１５：ＮＯ）、フックスイッチ４８の検出信号に基づいてハンドセット４７がフックアップされているか否かが判定される（Ｓ２３５）。
【０１２４】
ここで、ハンドセット４７がフックアップされていると判定された場合には（Ｓ２３５：ＹＥＳ）、モデム２０が通話モードに設定された後（Ｓ２３７）、公衆電話回線３２が閉結されてハンドセット４７による通話が可能となる（Ｓ２３９、Ｓ２４１）。
【０１２５】
そして、ハンドセット４７による通話が終了したか否か、つまりハンドセット４７がフックダウンされたか否かが判定され（Ｓ２４３）、ハンドセット４７による通話が終了したものと判定された場合には（Ｓ２４３：ＹＥＳ）、公衆電話回線３２が開放され（Ｓ２４５）、かつ、ＲＡＭ１４に記憶されているＣａｌｌｅｒＩＤ及び呼出信号回数が削除された後（Ｓ２１１）、Ｓ２１に戻る。
【０１２６】
次に、本実施形態に係るファクシミリ装置１の特徴を説明する。
外付電話機３により公衆電話回線３２が閉結されたと判定された場合に、モデム２０の設定をファクシミリデータ受信モードに設定するので、外付電話機３等の公衆電話回線３２に対してファクシミリ装置１と並列に接続された他の電話機による通話中に、ファクシミリデータが送信されてきた場合であっても、即座にファクシミリデータを受信することがができる。
【０１２７】
なお、上述の説明からも明らかなように、本実施形態では、Ｓ２１９が特許請求の範囲に記載されたファクシミリモード移行手段に相当する。
（その他の実施形態）
また、上述の実施形態では、外付電話機３を接続するための外付電話端子Ｔ１、Ｔ２を有するファクシミリ装置であったが、本発明はこれに限定されるものではなく、外付電話端子Ｔ１、Ｔ２を有しておらず、外付けの分配機等で公衆電話回線３２を分配するファクシミリ装置にも適用することができる。
【０１２８】
また、上述の実施形態では、ハンドセット４７を有するファクシミリ装置１であったが、ハンドセット４７が無いファクシミリ装置にも本発明を適用することができる。
また、上述の実施形態では、発信元に関する情報（番号や名前等）をＬＣＤ５に表示したが、本発明はこれに限定されるものではなく、発信元に関する情報を、例えば音声にてユーザに伝達してもよい。
【０１２９】
また、上述の実施形態では、着信履歴をＲＡＭ１４に記憶したが、本発明はこれに限定されるものではなく、着信履歴の記憶を廃止する、又はＲＡＭ１４以外の記憶装置に記憶する等してもよい。
【０１３０】
また、上述の実施形態では、判定電圧Ｖｔは、電話回線３１が開放状態である場合における回線電圧の基準電圧よりも小さく、かつ、基準電圧との電圧差が所定の電圧差ΔＶ以上となる電圧値であったが、本発明はこれに限定されるものではなく、例えば、これとは逆に、基準電圧よりも大きく、かつ、基準電圧との電圧差が所定の電圧差ΔＶ以上となる電圧値を判定電圧Ｖｔとしてもよい。
【０１３１】
また、上述の実施形態では、番号と名前等との関係を示すテーブルを予めＥＥＰＲＯＭ１３に記憶させ、このテーブルと受信したＣａｌｌｅｒＩＤ（発信元電話番号又は発信元ファクシミリ番号）とから発信元の名前又は名称を特定したが、本発明はこれに限定されるものではない。
【０１３２】
また、本発明は、特許請求の範囲に記載された発明の趣旨に合致するものであればよく、上述の実施形態に限定されるものではない。
【図面の簡単な説明】
【０１３３】
【図１】本発明の実施形態に係るファクシミリ装置１の電気的構成を示したブロック図である。
【図２】本発明の実施形態に係るファクシミリ装置１の回線Ｉ／Ｆ部１９のブロック図である。
【図３】本発明の第１実施形態に係るファクシミリ装置１の特徴的作動を示すフローチャートである。
【図４】本発明の第１実施形態に係るファクシミリ装置１の特徴的作動を示すフローチャートである。
【図５】本発明の第１実施形態に係るファクシミリ装置１の特徴的作動を示すフローチャートである。
【図６】本発明の第１実施形態に係るファクシミリ装置１の特徴的作動を示すフローチャートである。
【図７】本発明の第１実施形態に係るファクシミリ装置１の特徴的作動を示すフローチャートである。
【図８】本発明の第１実施形態に係るファクシミリ装置１の特徴的作動を示すフローチャートである。
【図９】本発明の第１実施形態に係るファクシミリ装置１の特徴的作動を示すフローチャートである。
【図１０】本発明の第１実施形態に係るファクシミリ装置１の特徴的作動を示すフローチャートである。
【図１１】本発明の第１実施形態に係るファクシミリ装置１の特徴的作動を示すフローチャートである。
【図１２】本発明の第２実施形態に係るファクシミリ装置１の特徴的作動を示すフローチャートである。
【符号の説明】
【０１３４】
１…ファクシミリ装置、３…外付電話機、４…操作パネル、
１３ａ…定常電圧値メモリ、１３ｂ…閾値メモリ、１４ａ…回線電圧値メモリ、
１４ｂ…判定値メモリ、１５…画像メモリ、１９…回線Ｉ／Ｆ部、２０…モデム、
２１…バッファ、２２…スキャナ、２３…復号化部、２４…復号化部、
２５…プリンタ、２７…アンプ、２８…スピーカ、２９…交換機、
３０…バスライン、３１…電話回線、３２…公衆電話回線、３４…電圧検出回路、
３５…絶縁部、３５ａ…コンデンサ、３５ｂ…コンデンサ、３６…ＣＭＬリレー、
３７…整流器、３９…リング検出回路、４２…送信アンプ、４３…トーンアンプ、
４４…ハイブリットネットワーク、４４…ハイブリッドネットワーク、
４５…トランジスタ、４６…トランス。
【図１】
0004800664.tif 000002
【図２】
0004800664.tif 000003
【図３】
0004800664.tif 000004
【図４】
0004800664.tif 000005
【図５】
0004800664.tif 000006
【図６】
0004800664.tif 000007
【図７】
0004800664.tif 000008
【図８】
0004800664.tif 000009
【図９】
0004800664.tif 000010
【図１０】
0004800664.tif 000011
【図１１】
0004800664.tif 000012
【図１２】
0004800664.tif 000013